(57)【特許請求の範囲】
【請求項１】
ワイヤレス電力伝達のための方法であって、
電子デバイス内に格納されたデータを充電器によって受信するステップであって、前記データが、前記電子デバイスまたは前記電子デバイスのユーザに関係する、ステップと、
前記電子デバイス内に格納された前記データが前記充電器によって受信されたならば、ワイヤレス電力を前記充電器から前記電子デバイスに無線で伝達するステップと、
前記電子デバイスのユーザに少なくとも1つの広告を提供するステップであって、前記広告が、前記受信されたデータに基づいて選択されるステップと、
前記電子デバイスの前記ユーザが前記広告を閲覧したことのフィードバックを受信するステップとを備える方法。
【請求項２】
前記電子デバイスに関係する、前記電子デバイス内に格納された前記データが、前記電子デバイスのタイプまたは前記電子デバイスの位置のうちの1つを備え、前記ユーザに関係する、前記電子デバイス内に格納された前記データが、前記ユーザの関心、前記ユーザの行動、前記ユーザの嗜好、前記ユーザの年齢、前記ユーザの性別、または前記ユーザのオンライン履歴のうちの1つを備える、請求項1に記載の方法。
【請求項３】
前記受信されたデータが、前記電子デバイスの位置に関係し、前記広告が、前記電子デバイスの現在のエリア内に位置する企業に関連する、請求項2に記載の方法。
【請求項４】
前記受信されたデータがデータマイニング用に使用される、請求項3に記載の方法。
【請求項５】
前記受信されたデータを使用して、前記電子デバイスの前記ユーザのプロファイルを作成するステップをさらに備える、請求項4に記載の方法。
【請求項６】
前記電子デバイスに電力を無線で伝達するステップが、前記電子デバイスからデータを受信する間、および/またはその後に電力を無線で伝達するステップを備える、請求項5に記載の方法。
【請求項７】
前記データを受信するステップが、前記電子デバイスに電力を無線で伝達するためにも使用されるチャネルを介して前記データを受信するステップを備える、請求項6に記載の方法。
【請求項８】
前記電子デバイスとリモートエンティティの間で通信リンクを確立するステップをさらに備える、請求項7に記載の方法。
【請求項９】
ワイヤレス電力伝達のためのワイヤレス電力充電デバイスであって、
電子デバイス内に格納されたデータを受信するように構成されたプロセッサであって、前記受信されたデータが前記電子デバイスまたは前記電子デバイスのユーザに関係する、プロセッサと、
前記電子デバイス内に格納された前記データが受信されたならば、前記電子デバイスに電力を無線で伝達するように構成された電力送信機とを備え、
前記プロセッサが、前記電子デバイスのユーザに少なくとも1つの広告を提供するようにさらに構成され、前記広告が、前記受信されたデータに基づいて選択され、
前記プロセッサが、前記電子デバイスの前記ユーザが前記広告を閲覧したことのフィードバックを受信するように構成されるデバイス。
【請求項１０】
前記電子デバイスに関係する、前記電子デバイス内に格納された前記データが、前記電子デバイスのタイプまたは前記電子デバイスの位置のうちの1つを備え、前記ユーザに関係する、前記電子デバイス内に格納された前記データが、前記ユーザの関心、前記ユーザの行動、前記ユーザの嗜好、前記ユーザの年齢、前記ユーザの性別、または前記ユーザのオンライン履歴のうちの1つを備える、請求項9に記載のデバイス。
【請求項１１】
前記受信されたデータが、前記電子デバイスの位置に関係し、前記広告が、前記電子デバイスの現在のエリア内に位置する企業に関連する、請求項10に記載のデバイス。
【請求項１２】
前記受信されたデータがデータマイニング用に使用される、請求項11に記載のデバイス。
【請求項１３】
前記プロセッサが、前記受信されたデータを使用して、前記電子デバイスの前記ユーザのプロファイルを作成するようにさらに構成される、請求項12に記載のデバイス。
【請求項１４】
前記電力送信機が、前記電子デバイスからデータを受信する間、および/またはその後に電力を無線で伝達するように構成される、請求項13に記載のデバイス。
【請求項１５】
前記プロセッサが前記電子デバイスに電力を無線で伝達するためにも使用されるチャネルを介して前記データを受信するように構成される、請求項14に記載のデバイス。
【請求項１６】
前記プロセッサが、前記電子デバイスとリモートエンティティの間で通信リンクを確立するようにさらに構成される、請求項15に記載のデバイス。
【請求項１７】
ワイヤレス電力伝達のためのデバイスであって、
電子デバイス内に格納されたデータを受信する手段であって、前記データが前記電子デバイスまたは前記電子デバイスのユーザに関係する、手段と、
前記電子デバイス内に格納された前記データが受信されたならば、前記電子デバイスに電力を無線で伝達する手段と、
前記電子デバイスのユーザに少なくとも1つの広告を提供する手段であって、前記広告が、前記受信されたデータに基づいて選択される手段と、
前記電子デバイスのユーザが前記広告を閲覧したことのフィードバックを受信する手段とを備えるデバイス。
【請求項１８】
前記電子デバイスに関係する、前記電子デバイス内に格納された前記データが、前記電子デバイスのタイプまたは前記電子デバイスの位置のうちの1つを備え、前記ユーザに関係する、前記電子デバイス内に格納された前記データが、前記ユーザの関心、前記ユーザの行動、前記ユーザの嗜好、前記ユーザの年齢、前記ユーザの性別、または前記ユーザのオンライン履歴のうちの1つを備える、請求項17に記載のデバイス。
【請求項１９】
前記受信されたデータが、前記電子デバイスの位置に関係し、前記広告が、前記電子デバイスの現在のエリア内に位置する企業に関連する、請求項18に記載のデバイス。
【請求項２０】
前記受信されたデータがデータマイニング用に使用される、請求項19に記載のデバイス。
【請求項２１】
前記受信されたデータを使用して、前記電子デバイスの前記ユーザのプロファイルを作成する手段をさらに備える、請求項20に記載のデバイス。
【請求項２２】
前記電子デバイスに電力を無線で伝達する前記手段が、前記電子デバイスからデータを受信する間、および/またはその後に電力を無線で伝達する手段を備える、請求項21に記載のデバイス。
【請求項２３】
前記データを受信する前記手段が、前記電子デバイスに電力を無線で伝達するためにも使用されるチャネルを介して前記データを受信する手段を備える、請求項22に記載のデバイス。
【請求項２４】
前記電子デバイスとリモートエンティティの間で通信リンクを確立する手段をさらに備える、請求項23に記載のデバイス。
【請求項２５】
前記受信手段がプロセッサを備え、前記無線伝達手段が電力送信機を備える、請求項24に記載のデバイス。
【請求項２６】
ワイヤレス電力を受信する方法であって、
電子デバイスから、前記電子デバイス内に格納されたデータを充電器に送信するステップであって、前記データが前記電子デバイスまたは前記電子デバイスのユーザに関係する、ステップと、
前記データが前記充電器に送信されたならば、前記電子デバイスによって、前記充電器から電力を無線で受信するステップと、
前記充電器から少なくとも1つの広告を受信するステップであって、前記少なくとも1つの広告が、前記充電器に送信された前記データに基づいて選択されるステップと、
前記電子デバイスの前記ユーザが前記広告を閲覧したことのフィードバックを提供するステップとを備える方法。
【請求項２７】
前記電子デバイスに関係する、前記電子デバイス内に格納された前記データが、前記電子デバイスのタイプまたは前記電子デバイスの位置のうちの1つを備え、前記ユーザに関係する、前記電子デバイス内に格納された前記データが、前記ユーザの関心、前記ユーザの行動、前記ユーザの嗜好、前記ユーザの年齢、前記ユーザの性別、または前記ユーザのオンライン履歴のうちの1つを備える、請求項26に記載の方法。
【請求項２８】
前記送信されたデータがデータマイニング用に使用される、請求項27に記載の方法。
【請求項２９】
電子デバイス内に格納されたデータを充電器に送信するように構成された通信回路であって、前記データが前記電子デバイスまたは前記電子デバイスのユーザに関係する、通信回路と、
前記データが前記充電器に送信されたならば、前記充電器から電力を無線で受信するように構成されたワイヤレス電力受信機と
を備え、
前記通信回路がさらに、前記充電器から少なくとも1つの広告を受信するようにさらに構成され、前記少なくとも1つの広告が、前記送信されたデータに基づいて選択され、
前記通信回路がさらに、前記電子デバイスのユーザが前記広告を閲覧したことのフィードバックを提供するように構成される電子デバイス。
【請求項３０】
前記電子デバイスに関係する、前記電子デバイス内に格納された前記データが、前記電子デバイスのタイプまたは前記電子デバイスの位置のうちの1つを備え、前記ユーザに関係する、前記電子デバイス内に格納された前記データが、前記ユーザの関心、前記ユーザの行動、前記ユーザの嗜好、前記ユーザの年齢、前記ユーザの性別、または前記ユーザのオンライン履歴のうちの1つを備える、請求項29に記載の電子デバイス。
【請求項３１】
前記送信されたデータがデータマイニング用に使用される、請求項30に記載の電子デバイス。
【請求項３２】
電子デバイスから、前記電子デバイス内に格納されたデータを充電器に送信する手段であって、前記データが前記電子デバイスまたは前記電子デバイスのユーザに関係する、手段と、
前記データが前記充電器に送信されたならば、前記充電器から送信された電力を無線で受信する手段とを備え、
前記充電器から少なくとも1つの広告を受信する手段であって、前記少なくとも1つの広告が、前記充電器に送信された前記データに基づいて選択される手段と、
前記電子デバイスの前記ユーザが前記広告を閲覧したことを示すフィードバックを提供する手段と
を備える電子デバイス。
【請求項３３】
前記電子デバイスに関係する、前記電子デバイス内に格納された前記データが、前記電子デバイスのタイプまたは前記電子デバイスの位置のうちの1つを備え、前記ユーザに関係する、前記電子デバイス内に格納された前記データが、前記ユーザの関心、前記ユーザの行動、前記ユーザの嗜好、前記ユーザの年齢、前記ユーザの性別、または前記ユーザのオンライン履歴のうちの1つを備える、請求項32に記載の電子デバイス。
【請求項３４】
前記送信されたデータがデータマイニング用に使用される、請求項33に記載の電子デバイス。
【請求項３５】
前記送信手段がプロセッサを備え、前記受信手段が電力受信機を備える、請求項34に記載の電子デバイス。
【請求項３６】
少なくとも1つの広告を表示するように構成された表示デバイスと、
少なくとも1つの電子デバイスのユーザが前記表示デバイス上で前記少なくとも1つの広告を閲覧可能であるならば、前記少なくとも1つの広告が表示される間、前記少なくとも1つの電子デバイスに電力を無線で送信するように構成された電力送信回路と、
前記少なくとも1つの広告が閲覧されたことのフィードバックを前記ユーザから受信するように構成されたコントローラと
を備えるワイヤレス電力充電デバイス。
【請求項３７】
前記広告が、ビデオ広告、オーディオ広告、グラフィカル広告またはテキスト広告のうちの1つを備える、請求項36に記載のワイヤレス電力充電デバイス。
【請求項３８】
ワイヤレス電力を伝達する方法であって、
ワイヤレス充電器の表示デバイス上に少なくとも1つの広告を表示するステップと、
少なくとも1つの電子デバイスのユーザが前記表示デバイス上で前記少なくとも1つの広告を閲覧可能であるならば、前記少なくとも1つの広告が表示される間、前記少なくとも1つの電子デバイスにワイヤレス電力を送信するステップと、
前記少なくとも1つの広告が閲覧されたことのフィードバックを前記ユーザから受信するステップとを備える方法。
【請求項３９】
前記広告が、ビデオ広告、オーディオ広告、グラフィカル広告またはテキスト広告のうちの1つを備える、請求項38に記載の方法。
【請求項４０】
ワイヤレス電力を伝達するためのデバイスであって、
少なくとも1つの広告を表示する手段と、
少なくとも1つの電子デバイスのユーザが前記表示手段上で前記少なくとも1つの広告を閲覧可能であるならば、前記少なくとも1つの広告が表示される間、前記少なくとも1つの電子デバイスにワイヤレス電力を送信する手段と、
前記少なくとも1つの広告が閲覧されたことのフィードバックを前記ユーザから受信する手段と
を備えるデバイス。
【請求項４１】
前記広告が、ビデオ広告、オーディオ広告、グラフィカル広告またはテキスト広告のうちの1つを備える、請求項40に記載のデバイス。
【請求項４２】
前記表示手段がディスプレイを備え、前記送信手段が電力送信機を備える、請求項41に記載のデバイス。
【発明の詳細な説明】
【技術分野】
【０００１】
米国特許法第119条に基づく優先権の主張
本出願は、参照により開示全体が本明細書に組み込まれている、2009年11月17日に出願した米国仮特許出願第61/262,119号、「WIRELESS POWER」の優先権を米国特許法第119条の下に主張するものである。
【０００２】
本発明は、一般には、ワイヤレス電力に関し、より詳細には、条件ベースのワイヤレス電力のための方法およびシステムに関する。
【背景技術】
【０００３】
典型的には、充電式バッテリによって電力供給される各デバイスは、通常AC電源出力であるそれ自体の充電器および電源を必要とすることがある。多くのデバイスが充電を必要とする場合、これは扱いにくくなる。
【０００４】
送信機と充電すべきデバイスとの間でワイヤレス電力伝送(すなわち、充電器と充電すべきデバイスとの間で有線接続を必要としないエネルギー伝達)を使用する手法が開発されている。たとえば、エネルギーは、充電すべきデバイス上の送信アンテナと受信アンテナの間の平面波放射(遠距離場放射とも呼ばれる)を結合することによって伝達することができ、この受信アンテナは、放射電力を収集し、バッテリを充電するためにそれを整流する。アンテナは一般に、結合効率を向上させるために共振長のものである。この手法は、電力結合がアンテナの間の距離と共に急速に低下するという欠点がある。したがって、典型的には、妥当な距離(たとえば、>1〜2m)に渡ってこの充電解決法を適用することは難しくなる。さらに、このシステムは平面波を放射するので、フィルタリングによって適切に制御されない場合には、偶発的な放射が他のシステムに干渉することがある。
【０００５】
他の手法は、たとえば「充電」マットまたは表面に埋め込まれた送信アンテナと、充電すべきホストデバイスに埋め込まれた受信アンテナおよび整流回路との間の誘導結合に基づく。この手法には、送信アンテナと受信アンテナの間の間隔が非常に近くなければならない(たとえば数mm)という欠点がある。この手法は、同じエリアの複数のデバイスを同時に充電する能力を有するが、典型的にこのエリアは小さく、したがって、ユーザは、デバイスの特定のエリアに置かなければならない。
【０００６】
ユーザは、自宅または車内でデバイスを充電する場合、電源を選択し、消費されたエネルギーの代金を支払うことができる。他の環境では、電源の責任と充電の必要性の関係がもはや通用しないことがあるので、許可されたユーザに対して電力を使用可能とし、提供することは、より難しくなり得る。
【発明の概要】
【発明が解決しようとする課題】
【０００７】
許可されたユーザにワイヤレス電力を伝達し、また許可されていないユーザへの電力の伝達を防止するための拡張型のシステムおよび方法が求められている。
【課題を解決するための手段】
【０００８】
特許請求の範囲に記載の手段によって上記課題を解決する。
【図面の簡単な説明】
【０００９】
【図１】ワイヤレス電力伝達システムの簡略化されたブロック図である。
【図２】ワイヤレス電力伝達システムの簡略化された概略図である。
【図３】本発明の例示的な実施形態で使用されるループアンテナの概略図である。
【図４】本発明の例示的な一実施形態による送信機の簡略化されたブロック図である。
【図５】本発明の例示的な一実施形態による受信機の簡略化されたブロック図である。
【図６】送信機と受信機の間でメッセージングを実施するための送信回路の一部の簡略化された概略図である。
【図７Ａ】電子デバイスのブロック図である
【図７Ｂ】図7Aの電子デバイスの別の図である。
【図８】エンティティと複数の電子デバイスとを含むワイヤレスシステムを示す図である。
【図９】本発明の例示的な一実施形態による一方法を示すフローチャートである。
【図１０】本発明の例示的な一実施形態による別の方法を示すフローチャートである。
【図１１】本発明の例示的な一実施形態による別の方法を示すフローチャートである。
【図１２】本発明の例示的な一実施形態による別の方法を示すフローチャートである。
【図１３】本発明の例示的な一実施形態による別の方法を示すフローチャートである。
【発明を実施するための形態】
【００１０】
添付の図面に関連して下記に述べられた詳細な説明は、本発明の例示的な実施形態について説明するためのものであり、本発明が実施され得る実施形態だけを表すためのものではない。この説明全体を通して用いられる用語「例示的な」は、「例、事例または例証となる」ことを意味しており、他の例示的な実施形態よりも好ましいまたは有利であると必ずしも解釈すべきでない。詳細な説明は、本発明の例示的な実施形態の完全な理解を促すための具体的な詳細を含む。本明細書に例示的な諸実施形態は、これらの特定の詳細なしに実施できることが当業者には明らかであろう。一部の場合では、本明細書に提示された例示的な諸実施形態の新規性を不明瞭にしないために、よく知られている構造およびデバイスは、ブロック図の形で示されている。
【００１１】
単語「ワイヤレス電力」は本明細書では、電界、磁界、電磁界に関連する任意の形のエネルギー、あるいは物理的な電磁導線を使用せずに送信機から受信機に送信される任意の形のエネルギーを意味するために用いられている。本発明は、近距離結合、遠距離結合、共振結合および誘導結合など、任意の適切なワイヤレス電力シナリオに適用可能であってよいことに留意されたい。
【００１２】
図1は、本発明の様々な例示的な実施形態によるワイヤレス伝送または充電システム100を示している。入力電力102は、エネルギー伝達を提供するための放射界106を発生させるために送信機104に提供される。受信機108は、放射界106に結合し、出力電力110に結合されたデバイス(図示せず)による蓄積または消費ための出力電力110を生成する。送信機104と受信機108の両方は、距離112だけ分離されている。例示的な一実施形態では、送信機104および受信機108は、相互共振関係に従って構成され、受信機108の共振周波数と送信機104の共振周波数が非常に近い場合、送信機104と受信機108の間の伝送損失は、受信機108が放射界106の「近距離場」に位置するときに最小になる。
【００１３】
送信機104は、エネルギー送信手段を提供するための送信アンテナ114をさらに含み、受信機108は、エネルギー受信手段を提供するための受信アンテナ118をさらに含む。送信アンテナおよび受信アンテナは、それに関連する適用例およびデバイスに従ってサイズ決定される。上述されたように、効率的なエネルギー伝達は、エネルギーのほとんどを電磁波で遠距離場に伝搬するのではなく、送信アンテナの近距離場におけるエネルギーの大部分を受信アンテナに結合することによって行われる。この近距離場にある場合、送信アンテナ114と受信アンテナ118の間で結合モードが生じる。この近距離結合が発生し得るアンテナ114および118の周りのエリアは、本明細書では結合モード領域と呼ばれる。
【００１４】
図2は、ワイヤレス電力伝達システムの簡略化された例示的な概略図を示している。送信機104は、発振器122と、電力増幅器124と、フィルタ/整合回路126とを含む。発振器は、調整信号123に応答して調整され得る所望の周波数で信号を生成するように構成される。発振器信号は、電力増幅器124によって、制御信号125に応答する増幅量で増幅することができる。フィルタおよび整合回路126は、高調波または他の不所望の周波数をフィルタリングして、送信機104のインピーダンスを送信アンテナ114に整合させるために含めることができる。
【００１５】
受信機108は、整合回路132と、図2に示されたようにバッテリ136を充電し、または受信機(図示せず)に結合されたデバイスに電力供給するためにDC電力出力を生成する整流器/スイッチング回路134とを含んでよい。整合回路132は、受信機108のインピーダンスを受信アンテナ118に整合させるために含まれてよい。受信機108および送信機104は、別個の通信チャネル119(たとえばBluetooth（登録商標）、zigbee、セルラなど)上で通信してよい。
【００１６】
図3に示されたように、例示的な実施形態で使用されるアンテナは、「ループ」アンテナ150として構成することができ、このループアンテナ150は本明細書では、「磁気」アンテナと呼ばれることもある。ループアンテナは、空芯、またはフェライトコアなどの物理的なコアを含むように構成されてよい。空芯ループアンテナは、コアの近傍に置かれた外来物理デバイスに対してより高い耐性を有し得る。さらに、空芯ループアンテナでは、コアエリア内に他の構成要素を配置することができる。さらに、空芯ループは、送信アンテナ114(図2)の結合モード領域がより強力になり得る送信アンテナ114(図2)の平面内に受信アンテナ118(図2)を配置することを、より容易に可能にすることができる。
【００１７】
上述されたように、送信機104と受信機108の間の効率的なエネルギー伝達は、送信機104と受信機108の間の整合された、またはほぼ整合された共振中に行われる。しかし、送信機104と受信機108の間の共振が整合されていない場合でも、エネルギーをより低い効率で伝達することができる。エネルギーの伝達は、送信アンテナからのエネルギーを自由空間に伝搬するのではなく、送信アンテナの近距離場からのエネルギーを、この近距離場が確立される近傍に常駐する受信アンテナに結合することによって行われる。
【００１８】
ループアンテナまたは磁気アンテナの共振周波数は、インダクタンスおよびキャパシタンスに基づく。ループアンテナのインダクタンスは一般に、単にループによって生成されたインダクタンスであり、キャパシタンスは一般に、所望の共振周波数で共振構造を生成するためにループアンテナのインダクタンスに追加される。非限定的な例として、共振信号156を生成する共振回路を作成するために、キャパシタ152およびキャパシタ154をアンテナに追加することができる。したがって、より大きい直径のループアンテナでは、ループの直径またはインダクタンスが増加するにつれて、共振を誘起するために必要なキャパシタンスの大きさは減少する。さらに、ループまたは磁気アンテナの直径が増加するにつれて、近距離場の効率的なエネルギー伝達エリアは増加する。もちろん、他の共振回路も可能である。別の非限定的な例として、ループアンテナの2つの端子間にキャパシタを並列に置くことができる。さらに、送信アンテナの場合、共振信号156は、ループアンテナ150への入力であってよいことが当業者には認識されよう。
【００１９】
図4は、本発明の例示的な実施形態による送信機200の簡略化されたブロック図である。送信機200は、送信回路202と送信アンテナ204とを含む。一般に、送信回路202は、発振信号を供給することによって送信アンテナ204にRF電力を供給し、その結果、送信アンテナ204の周りに近距離場エネルギーが発生する。例を挙げると、送信機200は、13.56MHzのISMバンドで動作することができる。
【００２０】
例示的な送信回路202は、送信回路202のインピーダンス(たとえば50オーム)を送信アンテナ204に整合させるための固定のインピーダンス整合回路206と、受信機108(図1)に結合されたデバイスの自己ジャミングを防止するレベルにまで高調波放出を低減するように構成された低域フィルタ(LPF:low pass filter)208とを含む。他の例示的な実施形態は、それだけに限定されないが、他の周波数を通過させながら特定の周波数を減衰させるノッチフィルタを含めて様々なフィルタトポロジを含むことができ、アンテナへの出力電力や電力増幅器によるDC電流ドロー(current draw)など、測定可能な送信メトリクスに基づいて変化可能な適応型インピーダンス整合を含むことができる。送信回路202は、発振器212によって決定されたRF信号を駆動するように構成された電力増幅器210をさらに含む。送信回路は、ディスクリートデバイスまたは回路で構成されてもよいし、あるいは、集積型アセンブリで構成されてもよい。送信アンテナ204からの例示的なRF電力出力は、2.5ワットのオーダであってよい。
【００２１】
送信回路202は、特定の受信機に対して送信位相(またはデューティサイクル)中に発振器212をイネーブルし、発振器の周波数を調整し、隣接デバイスと、その接続された受信機を介して対話するための通信プロトコルを実装するために出力電力レベルを調整するためのコントローラ214をさらに含む。
【００２２】
送信回路202は、送信アンテナ204によって生成された近距離場の近傍にアクティブ受信機が存在または不在であることを検出するための負荷感知回路216をさらに含んでよい。例を挙げると、負荷感知回路216は、電力増幅器210に流れる電流を監視し、この電流は、送信アンテナ204によって生成された近距離場の近傍にアクティブ受信機が存在または不在であることによって影響を受ける。電力増幅器210への負荷の変化の検出は、アクティブ受信機と通信するためのエネルギーを送信するために発振器212をイネーブルすべきかどうか判定する際に使用するために、コントローラ214によって監視される。
【００２３】
送信アンテナ204は、抵抗損を低く保つように選択された厚さ、幅および金属タイプを有するアンテナストリップとして実装することができる。従来の実装形態では、送信アンテナ204は一般に、テーブル、マット、ランプまたはそれほど可搬性が高くない他の構成など、より大きい構造物と関連付けられるように構成されてよい。したがって、送信アンテナ204は一般に、実用的な寸法にするための「巻き」を必要としない。送信アンテナ204の例示的な一実装形態は、「電気的に小形」(すなわち波長の分数)とし、キャパシタを使用して共振周波数を定義することによって、より低い使用可能な周波数で共振するように同調させることができる。送信アンテナ204の直径が、または方形ループの場合には辺の長さが、受信アンテナに対してより大きい(たとえば0.50メートル)である例示的な適用例では、送信アンテナ204は、妥当なキャパシタンスを得るために必ずしも多数の巻きを必要としない。
【００２４】
送信機200は、送信機200に関連し得る受信機デバイスの所在およびステータスに関する情報を収集し、追跡することができる。したがって、送信回路202は、コントローラ214(本明細書ではプロセッサとも呼ばれる)に接続された存在検出器280、閉鎖検出器(enclosed detector)290またはその組合せを含んでよい。コントローラ214は、存在検出器280および閉鎖検出器290からの存在信号に応答して、増幅器210によって提供される電力の量を調整してよい。送信機は、たとえば建物に存在する従来のAC電力を変換するAC-DC変換器(図示せず)、従来のDC電源を送信機200に適した電圧に変換するDC-DC変換器(図示せず)など、いくつかの電源を介して、または従来のDC電源(図示せず)から直接に電力を受信することができる。
【００２５】
非限定的な例として、存在検出器280は、送信機のカバレッジエリアに挿入される、充電すべきデバイスの初期の存在を感知するために使用される動き検出器であってよい。検出後、送信機をオンにすることができ、デバイスによって受信されたRF電力を使用して、事前定義されたやり方でRxデバイス上のスイッチを切り換えることができ、その結果、送信機の駆動点インピーダンスの変化が生じる。
【００２６】
別の非限定的な例として、存在検出器280は、たとえば赤外線検出、動き検出、または他の適切な手段によって人間を検出可能な検出器であってよい。一部の例示的な実施形態では、送信アンテナが特定周波数で送信できる電力量を制限する調整が行われてよい。場合によっては、これらの調整は、電磁放射から人間を保護するためのものである。しかし、たとえばガレージ、作業現場、店など、人間が占有していない、または人間が稀にしか占有しないエリアに送信アンテナが置かれる環境があり得る。これらの環境に人間がいない場合、送信アンテナの電力出力を通常の電力制限調整を超えて増加させることが許容可能であってよい。換言すると、コントローラ214は、人間の存在に応答して送信アンテナ204の電力出力を規制レベルまたはより低いレベルに調整し、また人間が送信アンテナ204の電磁界からの規制距離の外部にいる場合には、送信アンテナ204の電力出力を規制レベルを超えたレベルに調整してよい。
【００２７】
非限定的な例として、閉鎖検出器290(本明細書では閉鎖区画検出器または閉鎖空間検出器と呼ばれることもある)は、筺体がいつ閉じた状態であるか、または開いた状態であるかを決定するためのセンススイッチなどのデバイスであってよい。送信機が、囲まれた状態である筺体内にある場合、送信機の電力レベルを増加させてよい。
【００２８】
例示的な実施形態では、送信機200が同じ状態に無期限にとどまらない方法を使用することができる。この場合、送信機200は、ユーザが決定した時間量の後、切れるようにプログラムされてよい。この特徴は、送信機200、特に電力増幅器210が、その周囲にあるワイヤレスデバイスが完全に充電された後に長く実行されることを防止する。この事象は、デバイスが完全に充電されたことを示す、リピータまたは受信コイルから送られた信号を回路が検出し損なうことによるものであり得る。送信機200の周囲に別のデバイスが置かれる場合、送信機200が自動的にシャットダウンしないようにするために、送信機200の自動遮断特徴は、その周囲で検出される動きがないことの設定期間後にだけアクティブ化することができる。ユーザは、非活動時間間隔を決定し、また要望に応じてそれを変更可能であってよい。非限定的な例として、時間間隔は、デバイスが最初に完全に放電されていると仮定して、特定のタイプのワイヤレスデバイスを完全に充電するのに必要な時間間隔より長くてもよい。
【００２９】
図5は、本発明の例示的な一実施形態による、受信機300の簡略化されたブロック図である。受信機300は、受信回路302と受信アンテナ304とを含む。受信機300はさらに、受信された電力をデバイス350に提供するためにデバイス350に結合する。受信機300は、デバイス350の外側にあるものとして示されているが、デバイス350に組み込まれてもよいことに留意されたい。一般に、エネルギーは、受信アンテナ304に無線で伝搬され、次いで、受信回路302を介してデバイス350に結合される。
【００３０】
受信アンテナ304は、送信アンテナ204(図4)と同じ周波数、またはほぼ同じ周波数で共振するように調整される。受信アンテナ304は、送信アンテナ204と同様に寸法決定されてもよいし、関連するデバイス350の寸法に基づいて、異なるやり方で寸法決定されてもよい。例を挙げると、デバイス350は、送信アンテナ204の長さの直径より小さい直径寸法または長さ寸法を有する携帯型電子デバイスであってよい。こうした例では、受信アンテナ304は、同調キャパシタ(図示せず)の容量値を減少させ、受信アンテナのインピーダンスを増加させるために、多巻きアンテナとして実装されてよい。例を挙げると、受信アンテナ304は、アンテナ直径を最大にし、受信アンテナのループ巻き数(すなわち巻線)および巻線間キャパシタンスを減少させるために、デバイス350の実質的な周囲の周りに置かれてもよい。
【００３１】
受信回路302は、受信アンテナ304へのインピーダンス整合を提供する。受信回路302は、受信RFエネルギー源を、デバイス350が使用する充電電力に変換するための電力変換回路306を含む。電力変換回路306は、RF-DC変換器308を含み、またDC-DC変換器310を含むこともできる。RF-DC変換器308は、受信アンテナ304で受信されたRFエネルギー信号を非交流電力に整流し、DC-DC変換器310は、整流されたRFエネルギー信号を、デバイス350に適合するエネルギーポテンシャル(たとえば電圧)に変換する。部分整流器および完全整流器、調整器、ブリッジ、ダブラー、ならびに線形変換器およびスイッチング変換器を含めて、様々なRF-DC変換器が企図される。
【００３２】
受信回路302は、受信アンテナ304を電力変換回路306に接続し、あるいは電力変換回路306を切断するためのスイッチング回路312をさらに含むことができる。電力変換回路306から受信アンテナ304を切断することは、デバイス350の充電を中断するだけでなく、送信機200(図2)から「見える」「負荷」を変化させる。
【００３３】
上記で開示されたように、送信機200は、送信機電力増幅器210に供給されたバイアス電流の変動を検出する負荷感知回路216を含む。したがって、送信機200は、受信機がいつ送信機の近距離場に存在するか決定するための機構を有する。
【００３４】
複数の受信機300が送信機の近距離場に存在するとき、他の受信機が送信機により効率的に結合することを可能にするために、1つまたは複数の受信機の装荷および除荷を時間多重化することが望ましいことがある。受信機は、他の近くの受信機への結合を解消するために、または近くの送信機への装荷を低減させるためにクローキングすることもできる。受信機のこの「除荷」は、本明細書では、「クローキング」としても知られている。さらに、受信機300によって制御され、送信機200によって検出される除荷と装荷の間のこのスイッチングは、下記でより完全に説明されるように、受信機300から送信機200への通信機構を提供する。さらに、受信機300から送信機200へのメッセージの送信を可能にするスイッチングにプロトコルを関連付けることができる。例を挙げると、スイッチング速度は、100μ秒のオーダであってよい。
【００３５】
例示的な実施形態では、送信機と受信機の間の通信は、従来の双方向通信ではなく、デバイス感知および充電制御機構を指す。換言すると、送信機は、送信信号のオン/オフキーイングを使用して、近距離場でエネルギーが得られるかどうか調整する。受信機は、エネルギーのこれらの変化を送信機からのメッセージと解釈する。受信機側からは、受信機は、受信アンテナの同調および同調解除を使用して、近距離場からどれくらいの電力が受け付けられているか調整する。送信機は、近距離場からの使用された電力のこの差を検出し、これらの変化を受信機からのメッセージと解釈することができる。
【００３６】
受信回路302は、送信機から受信機への情報シグナリングに対応し得る受信エネルギーの変動を識別するために使用されるシグナリング検出器およびビーコン回路314をさらに含んでよい。さらに、シグナリングおよびビーコン回路314を使用して、低減されたRF信号エネルギー(すなわちビーコン信号)の送信を検出し、またワイヤレス充電用の受信回路302の構成のために、低減されたRF信号エネルギーを整流して、受信回路302内の無電力供給回路または電力消耗回路をアウェイクさせるための公称電力にすることもできる。
【００３７】
受信回路302は、本明細書に述べられたスイッチング回路312の制御を含めて、本明細書に述べられた受信機300のプロセスを調整するためのプロセッサ316をさらに含む。受信機300のクローキングは、デバイス350に充電電力を供給する外部ワイヤード充電源(たとえば、ウォール/USB電源)の検出を含めて、他のイベントの発生時に行われることもある。プロセッサ316は、受信機のクローキングを制御することに加えて、ビーコン状態を決定し、送信機から送られたメッセージを抽出するためにビーコン回路314を監視することもできる。プロセッサ316は、性能の向上のためにDC-DC変換器310を調整することもできる。
【００３８】
図6は、送信機と受信機の間のメッセージングを実施するための送信回路の一部の簡略化された概略図を示している。本発明のいくつかの例示的な実施形態では、送信機と受信機の間で通信手段を使用可能にすることができる。図6では、電力増幅器210は、放射界を発生させるために、送信アンテナ204を駆動する。電力増幅器は、送信アンテナ204に望ましい周波数で発振しているキャリア信号220によって駆動される。電力増幅器210の出力を制御するために、送信変調信号224が使用される。
【００３９】
送信回路は、電力増幅器210に対するオン/オフキーイングプロセスを使用することによって受信機に信号を送ることができる。換言すると、送信変調信号224がアサートされるとき、電力増幅器210は、送信アンテナ204に対してキャリア信号220の周波数を励振する。送信変調信号224がネゲートされるとき、電力増幅器は、送信アンテナ204に対して周波数を励振しない。
【００４０】
図6の送信回路は、電力増幅器210に電力を供給し、受信信号235出力を生成する負荷感知回路216をも含む。負荷感知回路216では、信号の電力226と電力増幅器210への電力供給228との間の抵抗Rsの両端間に電圧降下が生じる。電力増幅器210によって消費される電力のどんな変化もが、差動増幅器230によって増幅される電圧降下の変化を引き起こす。送信アンテナが受信機内の受信アンテナ(図6に図示せず)との結合モードにあるとき、電力増幅器210によって引き出される電流の量が変化する。換言すると、送信アンテナ204の結合モード共振が存在しない場合は、放射界を励振するのに必要な電力が最初の量である。結合モード共振が存在する場合は、電力の大部分が受信アンテナに結合されているので、電力増幅器210によって消費される電力の量は上昇する。したがって、受信信号235は、送信アンテナ204に結合された受信アンテナの存在を示すことができ、受信アンテナから送られた信号を検出することもできる。さらに、受信機電流ドローの変化は、送信機の電力増幅器電流ドローにおいて観測可能であり、この変化を使用して、受信アンテナからの信号を検出することができる。
【００４１】
当業者によって理解されるように、事業所(たとえばコーヒーショップ)は、事業所を訪れる顧客にワイヤレス電力を供給してよい。より具体的には、一例として、ワイヤレス電力アクセスは、事業所、サービスプロバイダ、事業所またはサービスプロバイダと合意する第三者、あるいはその任意の組合せによって提供することができる。さらに、ワイヤレス充電器は、事業所内に置かれることに加えて、たとえば図書館、教育施設、ワイヤレス発電所、または公共輸送車両(たとえばバスや列車)内に置かれてよいことに留意されたい。したがって、エンティティは、たとえば企業、公共施設内に、あるいは旧式の公衆電話ボックス、または高速道路沿いの休憩所に類似のワイヤレス発電所で、ワイヤレス電力サービスを確立することができる。
【００４２】
本明細書では、用語「エンティティ」は、ワイヤレス電力の提供に関与する任意のエンティティを指し得る。たとえば、「エンティティ」は、企業体、ワイヤレス電力サービスプロバイダ、事業所またはサービスプロバイダと合意する第三者、あるいはその任意の組合せを含んでよい。さらに、本明細書では、用語「データマイニング」は、電子デバイスに関係するデータ(たとえば、デバイスの位置やデバイスのタイプ)、あるいは電子デバイスのユーザに関するデータ(たとえば、ユーザの関心、行動および嗜好、ユーザの年齢など)をキャプチャするために電子デバイスに対して操作を実施するための様々な技法を指し得る。さらに、本明細書では、「広告」は、それだけに限らないが、そのいずれかがテキスト、オーディオ、画像、ビデオまたはその任意の組合せを含んでよい販促情報、ニュースに基づく情報、アカウント情報、契約条件情報を含めた情報を指し得る。
【００４３】
本発明の様々な例示的な実施形態は、電子デバイスにワイヤレス電力を伝達する方法に関する。より具体的には、方法が、少なくとも1つの電子デバイスのユーザがワイヤレス電力サービスプロバイダによって決定された少なくとも1つの条件に合意すると、少なくとも1つの電子デバイスにワイヤレス電力を伝達するステップを含んでよい。一例として、方法が、少なくとも1つの電子デバイスにワイヤレス電力を伝達し、少なくとも1つの電子デバイスに少なくとも1つの操作を受けさせるステップを含んでよい。より具体的には、本発明の様々な例示的な実施形態は、少なくとも1つの電子デバイスにワイヤレス電力を伝達する方法に関し、この少なくとも1つの電子デバイスはさらに、1つまたは複数の広告を受け取り、1つまたは複数の広告を伝え、少なくとも1つのデータマイニング操作を受け、あるいはその任意の組合せを行う。
【００４４】
本発明の他の様々な例示的な実施形態は、電子デバイス上でワイヤレス電力を受信する方法に関する。より具体的には、方法が、電子デバイスのユーザがワイヤレス電力サービスプロバイダによって決定された少なくとも1つの条件に合意すると、電子デバイス上でワイヤレス電力を受信することを含んでよい。一例として、方法が、電子デバイス上でワイヤレス電力を受信し、少なくとも1つの電子デバイスに少なくとも1つの操作を受けさせることに合意することを含んでよい。より具体的には、本発明の様々な例示的な実施形態は、少なくとも1つの電子デバイス上でワイヤレス電力を受信する方法に関し、この少なくとも1つの電子デバイスはさらに、1つまたは複数の広告を受け取ってよく、少なくとも1つのデータマイニング操作を受け、あるいはその任意の組合せを行ってよい。
【００４５】
図7Aは、任意の知られている無線で充電可能なデバイスを備えてよい電子デバイス700のブロック図を示している。単に例示すると、電子デバイス700は、携帯電話、パーソナルコンピュータ、メディアプレーヤー、ゲームデバイス、またはその任意の組合せを備えてよい。単に例を挙げると、電子デバイス700は、受信機(図7Aに図示せず、たとえば図5の受信機300参照)と、少なくとも1つの関連する受信アンテナ702を備えてよい。電子デバイス700は、たとえばバッテリを備えてよいエネルギー蓄積デバイス706をさらに含んでよい。下記により完全に述べられた例示的な一実施形態によれば、電子デバイス700は、全地球測位システム(GPS: global positioning system)など、位置検出コンポーネント709を備えてもよいし、それに動作可能に結合されてもよい。電子デバイス700は、メモリ703と、本明細書に述べられたように本発明の様々な例示的な実施形態を実行するための1つまたは複数のプロセッサ701とをさらに含んでよい。
【００４６】
図7Bは、電子デバイス700の別の図である。図7Bに示されたように、電子デバイス700は、出力デバイス708と入力デバイス710とを有するユーザインターフェース704を含んでよい。当業者には理解されるように、出力デバイス708は、オーディオ、ビデオ、テキスト、グラフィックスなどを表示するように構成された表示デバイスを備えてよい。
【００４７】
図8は、1つまたは複数の電子デバイス700とエンティティ752とを含むワイヤレス電力システム750を示しており、このエンティティ752は、単に例を挙げると、サービスプロバイダ(すなわちワイヤレス電力を提供するエンティティ)、事業所(たとえばコーヒーショップ)またはその組合せを備えてよい。エンティティ752は、1つまたは複数のワイヤレス充電器756を備えることができ、1つまたは複数のワイヤレス充電器756、またはその任意の組合せに関連付けられてよい。ワイヤレス充電器756は、送信機(図9に図示せず、たとえば図4の送信機200参照)と、少なくとも1つの関連する送信アンテナ754とを備えてよい。ワイヤレス充電器756は、関連する充電領域内で電力を無線で送信するように構成されてよい。さらに、ワイヤレス充電器756によって送信された電力は、ワイヤレス充電器756の充電領域内に置かれる1つまたは複数のワイヤレス充電可能な電子デバイスによって受信することができる。
【００４８】
さらに、例示的な一実施形態によれば、ワイヤレス充電器756は、オーディオ、ビデオ、テキスト、グラフィックスなどを表示するように構成された表示デバイス757を備えてもよい。したがって、1つまたは複数の電子デバイスがワイヤレス充電器756に隣接して(たとえば充電表面上に)置かれ得る一実施形態では、表示デバイス757は、1つまたは複数の広告を表示することができ、この1つまたは複数の広告は、ユーザの電子デバイスがワイヤレス電力を受信する前、および/またはその間に閲覧可能である。
【００４９】
本発明の例示的な一実施形態によれば、ワイヤレス電力は、ワイヤレス充電器756から少なくとも1つの電子デバイス700に運ばれてよい。さらに、ワイヤレス電力を少なくとも1つの電子デバイス700に送信することを可能にする前に、エンティティ752は、少なくとも1つの電子デバイス700のユーザに、エンティティ752によって決定された少なくとも1つの条件に合意するよう求めることができることに留意されたい。別の言い方をすると、ワイヤレス電力を少なくとも1つの電子デバイス700に送信することを可能にする前に、エンティティ752は、少なくとも1つの電子デバイス700のユーザに、少なくとも1つの電子デバイス700に対して1つまたは複数の操作を実施することに合意するよう求めることができる。
【００５０】
さらに、少なくとも1つの電子デバイス700にワイヤレス電力を伝達する前またはその間、エンティティ752は、電子デバイス700に対して1つまたは複数の操作を実施させることができる。一例として、少なくとも1つの電子デバイス700にワイヤレス電力を伝達する前またはその間、エンティティ752は、少なくとも1つの電子デバイスに1つまたは複数の広告を送信してよい。1つまたは複数の広告は、ワイヤレス電力が送信されるチャネルを介して送信されてもよいし、別の通信チャネルを介して送信されてもよいことに留意されたい。さらに、エンティティ752は、電子デバイス700によって送信された1つまたは複数の広告を、電子デバイス700によって伝えさせる(たとえば表示させる)ことができる。エンティティは、電子デバイス700内に以前に格納された1つまたは複数の広告を伝えさせることもできることに留意されたい。例示的な一実施形態によれば、1つまたは複数の広告、情報またはアプリケーションを受け取ることが、ワイヤレス電力の受信の条件であってよい。別の例示的な実施形態によれば、1つまたは複数の広告を閲覧することが、ワイヤレス電力の受信の条件であってよい。さらに、条件は、ユーザが広告を閲覧し、質問への応答など、ユーザが広告を閲覧したことを示す有意味なフィードバックを提供することを求めることがある。
【００５１】
1つまたは複数の広告は、任意の知られている適切なフォーマットを備えてよいことにさらに留意されたい。より具体的には、1つまたは複数の広告は、受信側デバイス(たとえば電子デバイス700)と互換性がある形であってよい。単に例を挙げると、1つまたは複数の広告は、テキスト、オーディオ、ビデオ、画像、またはその任意の組合せを備えてよい。別の言い方をすると、1つまたは複数の広告は、1つまたは複数のテキストファイル、1つまたは複数のオーディオファイル、1つまたは複数のビデオファイル、1つまたは複数の画像、またはその組合せを備えてよい。したがって、電子デバイス700は、(たとえば可聴的または視覚的に)出力デバイス708を介して1つまたは複数の広告を伝えてよい。広告は、広告に関する追加の情報にアクセスするためにユーザが広告を「クリック」できるインタラクティブ広告を備えてよいことに留意されたい。
【００５２】
さらに、例示的な一実施形態によれば、ワイヤレス充電器756は、1つまたは複数の広告が電子デバイス700に送信される前、その間、またはその後に電子デバイス700にワイヤレス電力を運んでよいことに留意されたい。一例として、ワイヤレス充電器756は、1つまたは複数の広告が電子デバイス700に送信されている間、1つまたは複数の広告が電子デバイス700に送信された後、またはその組合せで、電子デバイス700にワイヤレス電力を運んでよい。別の例示的な実施形態によれば、ワイヤレス充電器756は、1つまたは複数の広告が電子デバイス700によって伝えられる(たとえば表示される)前、その間、またはその後に、電子デバイス700にワイヤレス電力を運んでよい。一例として、ワイヤレス充電器756は、1つまたは複数の広告が電子デバイス700によって伝えられている間、1つまたは複数の広告が電子デバイス700によって伝えられた後、またはその組合せで、電子デバイス700にワイヤレス電力を運んでよい。
【００５３】
上述されたように、1つまたは複数の広告を認知することが、ワイヤレス電力の受信の条件であってよい。ユーザが1つまたは複数の広告を認知することを保証するために、様々な方法を使用することができる。たとえば、ユーザは、1つまたは複数の広告を閲覧した後、手動のフィードバックを提供するよう求められることがある。一例として、ユーザは、広告に関するアンケートを記入するよう求められることがある。別の言い方をすると、ユーザは、1つまたは複数の広告ベースの質問に答えるよう求められることがある。別の例として、ユーザは、ワイヤレス電力を受信し続けるためにピクチャを(すなわちポインタで)クリックするよう求められることがある。さらに、ワイヤレス電力の受信前に、またはイベントが生じると(たとえば特定の量の時間が経過した後、または特定のワイヤレス電力量が受信された後)、広告を受信または閲覧するよう求められることがあることに留意されたい。さらに、例示的な一実施形態によれば、ユーザは、特定のワイヤレス電力量、または恐らく無制限のワイヤレス電力量と引き換えに広告を定期的に(たとえば月単位に)受け付けることに合意してよい。
【００５４】
別の例として、少なくとも1つの電子デバイス700にワイヤレス電力を伝達する前またはその間、エンティティ752は、様々な形の情報を収集するために電子デバイス700に対して1つまたは複数のデータマイニング操作を実施するように構成されてよい。例を挙げると、収集された情報は、電子デバイス700(たとえばデバイスのタイプ、デバイスの位置、インストールされたプログラムなど)、デバイスのユーザ(たとえば年齢、性別、ユーザの嗜好、ユーザの属性、オンライン履歴など)に関連付けることができる。したがって、一例として、エンティティ752は、たとえば、ワイヤレス電力サービスを使用する個人の人口統計を含み得る情報を収集してよい。さらに、当業者によって理解されるようにエンティティ752は、収集されたデータを使用して、1つまたは複数のユーザをプロファイリングすることができる。
【００５５】
したがって、一例として、デバイス(電子デバイス700)がワイヤレス電力を受信しているときはいつでも、エンティティ752は、ユーザ(たとえば顧客)、またはデバイスのユーザのワイヤレス電力消費習慣など、デバイスに関連する情報を収集することができる。より具体的には、たとえば、エンティティ752は、誰が充電しているか(すなわち顧客が誰か)、ユーザがどこで充電しているか、ユーザがいつ充電しているか、ユーザがどれくらい充電しているか、またはその任意の組合せに関する情報を収集してよい。ワイヤレス充電器756は、電子デバイス700に対して1つまたは複数のデータマイニング操作が実施される前、その間またはその後に電子デバイス700にワイヤレス電力を運んでよいことにさらに留意されたい。一例として、ワイヤレス充電器756は、1つまたは複数のデータマイニング操作が実施されている間、1つまたは複数のデータマイニング操作が実施された後、またはその組合せで、電子デバイス700にワイヤレス電力を運んでよい。
【００５６】
さらに、当業者には理解されるように、1つまたは複数のデータマイニング操作によって収集されたデータは、様々な目的に使用することができる。例示的な一実施形態によれば、収集されたデータのうちの少なくとも一部は、エンティティ752によって、エンティティサービスを改善し、修正し、規制するなどのやり方で使用されてよい。ワイヤレス電力を提供しているたとえば(エンティティ752)は、特定の領域のワイヤレス電力需要に関する情報を収集してよい。したがって、エンティティ752は、それらのエリア内で追加のまたは改良型のワイヤレス電力システムを提供することができる。別の例として、収集された情報の少なくとも一部は、1つまたは複数の他のエンティティに売ることができる。別の例として、収集された情報の少なくとも一部は、エンティティ752によって、ユーザに1つまたは複数の広告を送るために使用されてよく、1つまたは複数の広告が、収集されたデータに関連する主題を含んでよい。さらに、収集されたデータから、広告を送る時間を決定することができる。たとえば、1つまたは複数の広告は、ユーザの充電行動に関連する主題を含んでよい。より具体的な例として、エンティティ752は、月曜日および金曜日の午後6時から午後7時に食料品市場でデバイスを充電しているユーザに関する情報を収集する場合、月曜日および金曜日の午後4時から午後5時に様々な製品について1つまたは複数の広告をユーザに送信することができる。例を挙げると、広告は、標準のメール、電子メールまたはポップアップ、インターネット広告の形であってよい。
【００５７】
電子デバイス700が位置検出コンポーネント709(たとえば全地球測位システム「GPS: Global Positioning System」)に結合される例示的な一実施形態によれば、デバイスの位置に関するデータを収集することができる。したがって、エンティティ752は、ユーザの現在のエリアに位置する企業に関連する1つまたは複数の広告を電子デバイス700にリアルタイムに送信してよい。たとえば、ユーザが高速道路沿いのガソリンスタンドでワイヤレス充電を受信している場合、エンティティ752は、高速道路近くのアトラクションまたはレストランに関する1つまたは複数の広告をユーザに送信してよい。ユーザがワイヤレス電力を使用しており、インターネットにアクセスしている別の例では、エンティティ752は、ユーザのオンライン活動に関するデータを収集可能であってよい。その結果、エンティティ752は、オンライン活動に関連するユーザ広告を送ってよい。
【００５８】
さらに、電子デバイス700などの電子デバイスとエンティティ752との間でリンク(たとえば通信リンク)が確立されてよいことにも留意されたい。したがって、エンティティ752と電子デバイス700の間でリンクが存在している間いつでも、エンティティ752は、電子デバイス700に対して1つまたは複数の操作を実施させることができる(たとえば、電子デバイス上で1つまたは複数の広告を伝えてよく、電子デバイスに対して1つまたは複数のデータマイニング操作を実施してよく、またはその任意の組合せが行われてよい)。
【００５９】
本発明の他の例示的な実施形態によれば、1つまたは複数の条件を満たすことの検証に関する方法について次に述べられる。例示的な一実施形態によれば、検証は、充電器と充電すべきデバイスの間で、充電チャネルとは別の通信チャネルを介して実現されてよい。検証は、一度、周期的に、または定義された間隔で提供されてよい。さらに、検証は、時間分割により、充電チャネルの近くの通信チャネルを介してであれ、(たとえばRFIDでは通常であるように可変装荷を用いて)充電チャネルを変調することによってであれ、関連する充電チャネルを介して提供することができる。
【００６０】
図9は、1つまたは複数の例示的な実施形態による方法980を示すフローチャートである。方法980は、少なくとも1つの電子デバイスに対して少なくとも1つの操作を実施させるステップ(符号982で示す)を含んでよい。方法980は、少なくとも1つの電子デバイスにワイヤレス電力を伝達するステップ(符号984で示す)をさらに含んでよい。
【００６１】
図10は、1つまたは複数の例示的な実施形態による別の方法986を示すフローチャートである。方法986は、少なくとも1つの電子デバイスにワイヤレス電力を伝達するステップ(符号987で示す)を含んでよい。方法986は、少なくとも1つの電子デバイスによって少なくとも1つの広告を伝えさせるステップ、および少なくとも1つの電子デバイスに関連する情報を取得するステップ(符号988で示す)のうちの少なくとも1つをさらに含んでよい。
【００６２】
図11は、1つまたは複数の例示的な実施形態による、別の方法989を示すフローチャートである。方法989は、少なくとも1つのワイヤレス電力アクセスエンティティ必要条件の受諾を受信するステップ(符号996で示す)を含んでよい。方法989は、少なくとも1つのワイヤレス電力アクセスエンティティ必要条件の受諾に基づいて少なくとも1つの電子デバイスにワイヤレス電力を伝達するステップ(符号990で示す)をさらに含んでよい。
【００６３】
図12のフローチャートを参照すると、1つまたは複数の例示的な実施形態による別の方法991が示されている。方法991は、ワイヤレス電力プロバイダの少なくとも1つの条件に合意するステップ(符号992で示す)を含んでよい。方法991は、電子デバイス上でワイヤレス電力を受信するステップ(符号993で示す)をさらに含んでよい。
【００６４】
図13は、1つまたは複数の例示的な実施形態による別の方法994を示すフローチャートである。方法994が、ワイヤレス電力送信に関連するエンティティの少なくとも1つの条件を受諾するステップ(符号995で示される)を含んでよい。この方法は、少なくとも1つの条件を受諾すると、電子デバイス上でワイヤレス電力を受信するステップ(符号997で示される)をさらに含んでよい。
【００６５】
上述されたように、本明細書に述べられた例示的な諸実施形態は、遠距離放射、短距離放射、誘導、共振または他の任意の類似のワイヤレス電力技法が関与するワイヤレス充電に適用可能であってよい。
【００６６】
情報および信号は、様々な異なる技術および技法のいずれかを使用して表してよいことが当業者には理解されよう。たとえば、上記説明全体に渡って言及され得るデータ、命令、コマンド、情報、信号、ビット、シンボルおよびチップは、電圧、電流、電磁波、磁界または磁性粒子、光場または光粒子、あるいはその任意の組合せによって表すことができる。
【００６７】
本明細書の開示された例示的な諸実施形態に関連して述べられた様々な例示的な論理ブロック、モジュール、回路およびアルゴリズムステップは、電子ハードウェア、コンピュータソフトウェア、または両方の組合せとして実装できることが当業者にはさらに理解されよう。ハードウェアとソフトウェアのこの交換可能性について明確に示すために、様々な例示的なコンポーネント、ブロック、モジュール、回路およびステップについて、上記では概してその機能性に関して述べている。こうした機能性をハードウェアとして実装するか、それともソフトウェアとして実装するかは、特定の適用例、およびシステム全体に課された設計の制約に依存する。当業者は、述べられた機能性を、特定の適用例ごとに異なるやり方で実施できるが、こうした実装上の決定は、本発明の例示的な諸実施形態の範囲からの逸脱をもたらすものと解釈すべきではない。
【００６８】
本明細書に開示された例示的な諸実施形態に関連して述べられた様々な例示的な論理ブロック、モジュール、および回路は、汎用プロセッサ、デジタル信号プロセッサ(DSP: Digital Signal Processor)、特定用途向け集積回路(ASIC: Application Specific Ｉntegrated Circuit)、フィールドプログラマブルゲートアレイ(FPGA: Field Programmable Gate Array)または他のプログラマブル論理デバイス、個別ゲートまたはトランジスタ論理、個別のハードウェアコンポーネント、あるいは本明細書に述べられた機能を実施するように設計されたその任意の組合せで実装または実施することができる。汎用プロセッサは、マイクロプロセッサであってよいが、別法では、プロセッサは、任意の従来のプロセッサ、コントローラ、マイクロコントローラまたは状態機械であってよい。プロセッサは、コンピューティングデバイスの組合せ、たとえばDSPとマイクロプロセッサの組合せ、複数のマイクロプロセッサ、DSPコアと連携する1つまたは複数のマイクロプロセッサ、あるいは他の任意のこうした構成として実装することもできる。
【００６９】
本明細書に開示された例示的な諸実施形態に関連して述べられた方法およびアルゴリズムの諸ステップは、ハードウェアで直接に、プロセッサによって実行されたソフトウェアモジュールで、またはその2つの組合せで実施されてもよい。ソフトウェアモジュールは、ランダムアクセスメモリ(RAM: Random Access Memory)、フラッシュメモリ、読取り専用メモリ(ROM: Read Only Memory)、電気的プログラマブルROM(EPROM: Electrically Programmable ROM)、電気的消去可能プログラマブルROM(EEPROM: Electrically Erasable Programmable ROM)、レジスタ、ハードディスク、取外し可能ディスク、CD-ROM、または当技術分野で知られている他の任意の形の記憶媒体に常駐してよい。例示的な記憶媒体は、プロセッサが記憶媒体から情報を読み出し、記憶媒体に情報を書き込むことができるようにプロセッサに結合される。別法では、記憶媒体は、プロセッサと一体化することができる。プロセッサおよび記憶媒体は、ASICに常駐してよい。ASICは、ユーザ端末に常駐してよい。別法では、プロセッサおよび記憶媒体は、ユーザ端末の個別部品として常駐してもよい。
【００７０】
1つまたは複数の例示的な実施形態では、述べられた機能は、ハードウェア、ソフトウェア、ファームウェアまたはその任意の組合せで実装できる。ソフトウェアで実装される場合、機能は、1つまたは複数の命令またはコードとしてコンピュータ読取り可能媒体に格納することも、送信することもできる。コンピュータ読取り可能媒体は、コンピュータプログラムをある場所から別の場所に転送することを容易にする任意の媒体を含めて、コンピュータ記憶媒体と通信媒体の両方を含む。記憶媒体は、コンピュータによってアクセスできる任意の使用可能な媒体であってよい。限定のためではなく、例を挙げると、こうしたコンピュータ読取り可能媒体は、RAM、ROM、EEPROM、CD-ROMもしくは他の光ディスク記憶装置、磁気ディスク記憶装置もしくは他の磁気記憶デバイス、または命令もしくはデータ構造の形の所望のプログラムコードを搬送しまたは格納するために使用可能であり、コンピュータによってアクセス可能である他の任意の媒体を備えてよい。また、いずれの接続も適切に、コンピュータ読取り可能媒体と呼ばれる。たとえば、同軸ケーブル、光ファイバケーブル、ツイストペア線、デジタル加入者線(DSL: digital subscriber line)、または赤外線、無線およびマイクロ波などのワイヤレス技術を使用してソフトウェアがウェブサイト、サーバまたは他の遠隔ソースから送信される場合、同軸ケーブル、光ファイバケーブル、ツイストペア線、DSL、または赤外線、無線およびマイクロ波などのワイヤレス技術は、媒体の定義に含まれる。本明細書では、ディスク(disk、disc)は、コンパクトディスク(CD: compact disc)、レーザディスク、光ディスク、デジタル多用途ディスク(DVD: digital versatile disc)、フロッピー（登録商標）ディスクおよびブルーレイディスクを含み、ただし、ディスク(disk)は通常、データを磁気的に再生し、ディスク(disc)はデータをレーザで光学的に再生する。上記内容の組合せもまた、コンピュータ読取り可能媒体の範囲内に含まれるべきである。
【００７１】
開示された例示的な実施形態についての上記説明は、当業者が本発明を作成または使用することを可能にするために提供されている。これらの例示的な実施形態への様々な修正が当業者には容易に明らかになり、本明細書に定義された一般的な原理は、本開示の精神または範囲から逸脱せずに他の実施形態に適用することができる。したがって、本発明は、本明細書に示された例示的な諸実施形態に限定されるものでないが、本明細書に開示された原理および新規な特徴に一致する最も広い範囲が与えられるものである。
【符号の説明】
【００７２】
100  充電システム
102  入力電力
104  送信機
106  放射界
108  受信機
110  出力電力
112  距離
114  送信アンテナ
118  受信アンテナ
119  通信チャネル
122  発振器
123  調整信号
124  電力増幅器
125  制御信号
126  フィルタ/整合回路
132  整合回路
134  整流器/スイッチング
136  バッテリ
150  ループアンテナ
152  キャパシタ
154  キャパシタ
156  共振信号
【図１】
0005591945.tif 000002
【図２】
0005591945.tif 000003
【図３】
0005591945.tif 000004
【図４】
0005591945.tif 000005
【図５】
0005591945.tif 000006
【図６】
0005591945.tif 000007
【図７Ａ】
0005591945.tif 000008
【図７Ｂ】
0005591945.tif 000009
【図８】
0005591945.tif 000010
【図９】
0005591945.tif 000011
【図１０】
0005591945.tif 000012
【図１１】
0005591945.tif 000013
【図１２】
0005591945.tif 000014
【図１３】
0005591945.tif 000015